(57)【要約】【課題】  簡易な構成で、視聴中以外の番組の内容をユーザに対してわかりやすく提供することができるテレビジョン受信機を実現する。【解決手段】  それぞれ個別にテレビジョン放送を受信する第１及び第２の受信手段と、第１の受信手段で受信したテレビジョン放送に多重化された映像データを復号し表番組映像として出力する映像復号手段と、第２の受信手段で受信したテレビジョン放送に多重化された映像データを構成する画像データの一部を復号し、裏番組画像として出力する画像復号手段とをテレビジョン受信機に設け、当該裏番組画像を、第２の受信手段で受信したテレビジョン放送の番組情報に付加して出力するようにした。【選択図】        図２
2005347871.tif 000002
【特許請求の範囲】
【請求項１】
それぞれ個別にテレビジョン放送を受信する第１及び第２の受信手段と、
上記第１の受信手段で受信したテレビジョン放送に多重化された映像データを復号し、表番組映像として出力する映像復号手段と、
上記第２の受信手段で受信したテレビジョン放送に多重化された映像データを構成する画像データの一部を復号し、裏番組画像として出力する画像復号手段と
を具えることを特徴とするテレビジョン受信機。
【請求項２】
上記テレビジョン放送はフレーム間予測符号化が施され、
上記画像復号手段は、上記映像データのうちのフレーム内符号化画像の画像データを復号して上記裏番組画像として出力する
ことを特徴とする請求項１に記載のテレビジョン受信機。
【請求項３】
上記第２の受信手段で受信したテレビジョン放送に多重化された付加データを当該テレビジョン放送から分離する付加データ分離手段と、
上記画像復号手段で復号された上記裏番組画像を、上記付加データによって分離された付加データに含まれる番組情報に付加して出力する番組情報出力手段と
を具えることを特徴とする請求項１に記載のテレビジョン受信機。
【請求項４】
上記第２の受信手段は、上記第１の受信手段で受信していないチャンネルのテレビジョン放送を順次選択して受信し、
上記画像復号手段は、
上記第２の受信手段が順次選択して受信したテレビジョン放送それぞれについて、上記裏番組画像を生成する
ことを特徴とする請求項１に記載のテレビジョン受信機。
【請求項５】
上記画像復号手段は情報処理手段でなり、自身が実行するソフトウェアによって上記裏番組画像の復号を行う
ことを特徴とする請求項１に記載のテレビジョン受信機。
【請求項６】
上記映像復号手段は上記画像復号手段として機能して上記裏番組画像の復号を行う
ことを特徴とする請求項１に記載のテレビジョン受信機。
【請求項７】
受信したテレビジョン放送に多重化された映像データのうちのフレーム内符号化画像を選択する画像データ選択ステップと、
上記選択ステップで選択された上記フレーム内符号化画像の画像データを復号して番組画像を生成する復号ステップと、
上記受信したテレビジョン放送に多重化された付加データから番組情報を抽出し、当該番組情報に上記番組画像を付加して出力する情報出力手段と
を具えることを特徴とする番組情報処理方法。
【請求項８】
受信したテレビジョン放送に多重化された映像データのうちのフレーム内符号化画像を選択する画像データを選択ステップと、
上記選択ステップで選択された上記フレーム内符号化画像の画像データを復号して番組画像を生成する復号ステップと、
上記受信したテレビジョン放送に多重化された付加データから番組情報を抽出し、当該番組情報に上記番組画像を付加して出力する情報出力手段と
を具えることを特徴とする番組情報処理プログラム。
【発明の詳細な説明】
【技術分野】
【０００１】
本発明はテレビジョン受信機に関し、特に多重化されたディジタルテレビジョン放送を受信するテレビジョン受信機に適用して好適なものである。
【背景技術】
【０００２】
従来、ディジタルテレビジョン装置やディジタルテレビジョンチューナ等のディジタルテレビジョン受信機において、ストリームを分離するデマルチプレクサを複数設けておき、メインのデマルチプレクサを用いてユーザが視聴しようとする番組（以下、これを表番組と呼ぶ）を抽出しデコーダで復号して表示するとともに、サブのマルチプレクサを用いて裏番組の番組情報（番組タイトルや番組内容、チャンネル番号等）を取得し、当該番組情報を、画面の一部に設けられた情報表示領域に表示するようになされたものがある（例えば、特許文献１参照）。
【特許文献１】特開２００４−７２２８公報
【発明の開示】
【発明が解決しようとする課題】
【０００３】
ところが上述した構成のディジタルテレビジョン受信機では、表示される裏番組の番組情報は文字情報のみであり、情報表示領域の中で表示できる文字数は限られることから、当該番組情報の内容を一目で理解させることは困難であるという問題があった。
【０００４】
本発明は以上の点を考慮してなされたもので、簡易な構成で、視聴中以外の番組の内容をユーザに対してわかりやすく提供することができるテレビジョン受信機を提案しようとするものである。
【課題を解決するための手段】
【０００５】
かかる課題を解決するため本発明においては、それぞれ個別にテレビジョン放送を受信する第１及び第２の受信手段と、第１の受信手段で受信したテレビジョン放送に多重化された映像データを復号し表番組映像として出力する映像復号手段と、第２の受信手段で受信したテレビジョン放送に多重化された映像データを構成する画像データの一部を復号し、裏番組画像として出力する画像復号手段とをテレビジョン受信機に設けた。
【０００６】
これにより、別途映像復号手段を設けることなく、裏番組画像を得ることができる。
【０００７】
また画像復号手段は、映像データのうちのフレーム内符号化画像の画像データを復号して裏番組画像として出力するようにした。
【０００８】
単独で復号できるフレーム内符号化画像を選択して復号することにより、復号に要する処理負荷やメモリ量を削減することができる。
【０００９】
さらに本発明においては、第２の受信手段で受信したテレビジョン放送に多重化された付加データを当該テレビジョン放送から分離する付加データ分離手段と、画像復号手段で復号された裏番組画像を、付加データによって分離された付加データに含まれる番組情報に付加して出力する番組情報出力手段とを設けた。
【００１０】
そして、第２の受信手段は、第１の受信手段で受信していないチャンネルのテレビジョン放送を順次選択して受信し、画像復号手段は、第２の受信手段が順次選択して受信したテレビジョン放送それぞれについて裏番組画像を生成するようにした。
【００１１】
第１の受信手段で受信していない裏番組の裏番組画像を番組情報に付加して出力することにより、裏番組の内容をユーザに対してわかりやすく提供することができる。
【発明の効果】
【００１２】
本発明によれば、簡易な構成で、視聴中以外の番組の内容をユーザに対してわかりやすく提供することができるテレビジョン受信機を実現できる。
【発明を実施するための最良の形態】
【００１３】
以下図面について、本発明の一実施の形態を詳述する。
【００１４】
（１）ディジタルテレビジョン装置の全体構成
図１において、１は全体として本発明の一実施の形態のディジタルテレビジョン装置を示し、ＣＰＵ１０が装置全体を制御するようになされている。
【００１５】
このディジタルテレビジョン装置１は、現在視聴中または録画中の表番組を受信するためのメインチューナ１１に加え、裏番組を受信するための２つのサブチューナ１２Ａ、１２Ｂを有している。さらにディジタルテレビジョン装置１は、表番組をデマルチプレクスするためのメインデマルチプレクサ１３に加え、裏番組をデマルチプレクスするための２つのサブデマルチプレクサ１４Ａ、１４Ｂを有している。
【００１６】
第１の受信手段としてのメインチューナ１１及び第２の受信手段としての２個のサブチューナ１２Ａ、１２Ｂは、アンテナ（図示せず）を介して受信したディジタル放送波を選局及び復調してトランスポートストリームを生成し、これを切換スイッチ１５に供給する。
【００１７】
またＩＥＥＥ（Institute of Electrical and Electronics Engineers）１３９４ポート１４は、ハードディスクレコーダ等の録画機器（図示せず）から供給されるトランスポートストリームを切換スイッチ１３に供給する。ＨＤＤ（Hard Disk Drive）ストリームバッファ１５は、ハードディスクドライブ１６から読み出されたトランスポートストリームを切換スイッチ１３に供給する。
【００１８】
選択スイッチ１５はＣＰＵ１０の制御に応じて、メインチューナ１１、サブチューナ１２Ａ及び１２Ｂ、ＩＥＥＥ１３９４ポート１４並びにＨＤＤストリームバッファ１５から供給されたトランスポートストリームを選択し、メインデマルチプレクサ１３またはサブデマルチプレクサ１４Ａ及び１４Ｂに供給する。
【００１９】
ここで、ディジタルテレビジョン放送では１つのディジタル放送波に複数番組の番組データが多重化されている。メインデマルチプレクサ１３は、メインチューナ１１から供給されるトランスポートストリームから、ユーザが選択した表番組の番組データを抽出し、これを映像データ、音声データ及び付加データに分離（デマルチプレクス）する。そしてメインデマルチプレクサ１３は、分離した映像データをＭＰＥＧ（Motion Picture Experts Group)ビデオデコーダ１９に供給する。映像復号手段としてのＭＰＥＧビデオデコーダ１９は、分離された映像データをＭＰＥＧ復号して映像信号を生成し、これを後段の表示部２０に供給することにより表番組の映像を表示する。
【００２０】
一方、付加データ分離手段としてのサブデマルチプレクサ１４Ａは、サブチューナ１２Ａ又は１２Ｂから供給されるトランスポートストリームから裏番組の付加データを分離し、メモリ２１に記憶する。またサブデマルチプレクサ１４Ｂは、サブチューナ１２Ａ又は１２Ｂから供給されるトランスポートストリームから裏番組を抽出してハードディスクドライブ１８に記録する。
【００２１】
またＣＰＵ１０はユーザの操作に応じて、メモリ２１に記憶されている裏番組の付加データを取得し、当該付加データに基づく裏番組の番組情報（以下、単に裏番組情報と呼ぶ）を、表示中の表番組に重畳して表示部２０に表示する。
【００２２】
（２）本発明のディジタルテレビジョン装置による裏番組画像の表示
ここで、上述した裏番組情報とともに当該裏番組の映像自体を表示することができれば、ユーザに対して裏番組の内容をより詳細に提示することができると考えられる。ところが裏番組の映像データを復号するためには、回路規模の大きなＭＰＥＧビデオデコーダを新たにもう１つ設ける必要があるとともに、映像のデコードには大量のＭＰＥＧビデオキャプチャバッファが必要であり、これによりディジタルテレビジョン装置の構成が複雑になってしまうという問題がある。
【００２３】
このため本発明のディジタルテレビジョン装置１では、サブデマルチプレクサ１４Ａ又は１４Ｂで分離した裏番組の映像データを、ＣＰＵ１０上で実行されるプログラムによってソフトウェアデコードするようにした。しかしながら、映像データの動画像全てをソフトウェアデコードするには多大なＣＰＵパワーが必要となり現実的ではない。
【００２４】
そこでディジタルテレビジョン装置１では、裏番組の映像データの一部を静止画像としてデコードし、裏番組画像として表示するようにした。これにより、裏番組用のＭＰＥＧビデオデコーダを省略することができるとともに、図３に示すメモリ２１の裏番組用のＭＰＥＧビデオキャプチャバッファ２１Ａ及びＭＰＥＧビデオフレームバッファ２１Ｂを不要とすることができる。
【００２５】
実際上、ディジタルテレビジョン放送の映像データはフレーム間予測を用いたＭＰＥＧ２方式でエンコードされている。そして、Ｐピクチャ及びＢピクチャをデコードするためには参照先のピクチャを予めデコードしておく必要があるが、フレーム内符号化画像であるＩピクチャは、それ単独でデコードすることができる。このためディジタルテレビジョン装置１では、裏番組の映像データの内のＩピクチャの画像データのみを選択してデコードするようにした。これにより、復号に要する処理負荷やワークメモリを削減することができる。
【００２６】
またディジタルテレビジョン装置１は、Ｉピクチャをデコードすると同時にＪＰＥＧ変換することにより、デコード後の番組画像のデータサイズを削減するようにした。例えば１９２０×１０８０ピクセルのＨＤ（high−definition）画像１枚のデータサイズは２ＭＢ程度であるが、ＪＰＥＧ変換することによって２００ｋＢ程度となる。これにより、各裏番組画像を蓄積しておくための裏番組画像キャッシュ２１Ｃ（図３）のサイズを大幅に削減することができる。
【００２７】
そしてディジタルテレビジョン装置１は、現在視聴中のチャンネル以外の各チャンネルを順次選局して裏番組画像及び付加データをメモリ２１に蓄積し、当該裏番組画像を裏番組情報とともに電子番組表として一覧表示したり、表示画面に設けられた裏番組情報表示領域（後述）に順次表示していく。
【００２８】
次に、ディジタルテレビジョン装置１が裏番組画像をデコードして蓄積するための処理手順を、図２に示すフローチャートを用いて詳細に説明する。
【００２９】
情報処理手段としてのＣＰＵ１０は、ディジタルテレビジョン装置１が起動されると、裏番組画像取得処理手順ルーチンＲＴ１の開始ステップから入ってステップＳＰ１に移り、サブチューナ１２Ａ又は１２Ｂを制御して裏番組画像及び裏番組情報を取得しようとする視聴中でないチャンネルを選局し、次のステップＳＰ２に移る。
【００３０】
ステップＳＰ２においてＣＰＵ１０は、サブデマルチプレクサ１４Ａ又は１４Ｂを制御し、サブチューナ１２Ａ又は１２Ｂから供給されるトランスポートストリームに多重化された複数番組のうち、裏番組画像及び裏番組情報を取得しようとする番組の受信データから付加データ及び映像データを分離し、当該分離した付加データを図３に示すメモリ２１の裏番組付加データキャッシュ２１Ｄ（図３）に書き出すとともに、映像データをメモリ２１の裏番組ＭＰＥＧビデオコードバッファ２１Ｅに書き出していく。
【００３１】
ここで、上述したようにディジタルテレビジョン装置１は、映像データのＩピクチャのみを選択してデコードすることにより、裏番組ＭＰＥＧビデオコードバッファ２１Ｅを削減することができる。すなわち、映像データの全てのピクチャをデコードするためには、裏番組ＭＰＥＧビデオコードバッファ２１Ｅとして１．５ＭＢ程度を必要とするのに対し、Ｉピクチャのみをデコードする場合は２ピクチャ分の３２０ｋＢ程度あれば良い。
【００３２】
次のステップＳＰ３においてＣＰＵ１０は、メモリ２１の裏番組ＭＰＥＧビデオコードバッファ２１Ｅに書き出し中の映像データのピクチャタイプがＩピクチャであるかを判定する。ステップＳＰ３においてピクチャタイプがＩピクチャ以外のタイプであると判定した場合、ＣＰＵ１０はステップＳＰ４に移って次のピクチャの書き出しを待ち受け、次のピクチャの書き出しが開始されるとステップＳＰ３に戻る。
【００３３】
これに対して、ステップＳＰ３においてピクチャタイプがＩピクチャであると判定した場合、ＣＰＵ１０はステップＳＰ５に移って当該Ｉピクチャの書き出し終了を待ち、書き出しが終了すると次のステップＳＰ６に移る。
【００３４】
ステップＳＰ６において、画像復号手段としてのＣＰＵ１０はＩピクチャをソフトウェアデコードするとともにＪＰＥＧ変換して裏番組画像を生成し、これを裏番組画像キャッシュ２１Ｃに書き出して次のステップＳＰ７に移る。
【００３５】
ステップＳＰ７においてＣＰＵ１０は、選局したチャンネルの全ての番組について裏番組画像を生成したか否かを判定する。ステップＳＰ７において、全ての番組についての裏番組画像を生成し終わっていないと判定した場合、ＣＰＵ１０はステップＳＰ２に戻り、次の番組を選択して再度ステップＳＰ２〜ＳＰ７を繰り返す。これに対して、ステップＳＰ７において全ての番組についての裏番組画像を生成したと判定した場合、ＣＰＵ１０はステップＳＰ１に戻り、次のチャンネルを選択して再度ステップＳＰ１〜ＳＰ７を繰り返す。
【００３６】
このようにしてディジタルテレビジョン装置１は、今現在メインチューナ１１で受信していないチャンネルを順次巡回して裏番組の付加データ及び裏番組画像を取得し、メモリ２１に格納していく。
【００３７】
そして情報出力手段としてのＣＰＵ１０は、メモリ２１に格納しておいた裏番組画像及び付加データから抽出した番組情報を用いて、図４に示す電子番組表画面３０において各裏番組の裏番組情報２１Ａとともに裏番組画像２１Ｂを表示したり、図５に示す裏番組情報表示領域４０に、裏番組の裏番組情報４０Ａ及び裏番組画像４０Ｂを順次表示する。
【００３８】
（３）動作及び効果
以上の構成においてディジタルテレビジョン装置１は、メインチューナ１１、メインデマルチプレクサ１３及びＭＰＥＧビデオデコーダ１９を用いて表番組を受信しデコードして表示する一方、サブチューナ１２Ａ、１２Ｂ及びサブデマルチプレクサ１４Ａ、１４Ｂを用いて各裏番組の付加データを取得し、メモリ２１の裏番組付加データキャッシュ２１Ｄに格納していく。
【００３９】
これに加えてディジタルテレビジョン装置１のＣＰＵ１０は、各裏番組の映像データにおけるＩピクチャを裏番組画像としてソフトウェアデコードし、裏番組画像キャッシュ２１Ｃに格納していく。
【００４０】
そしてディジタルテレビジョン装置１のＣＰＵ１０は、付加データから抽出した裏番組情報及び裏番組画像を用いて、電子番組表画面３０において各裏番組の裏番組情報２１Ａとともに裏番組画像２１Ｂを表示したり、表番組とともに表示される裏番組情報表示領域４０に裏番組情報４０Ａ及び裏番組画像４０Ｂを順次表示していく。このようにディジタルテレビジョン装置１は、文字による裏番組情報とともに裏番組画像を表示することにより、裏番組の内容をユーザに対してより詳細に提示することができる。
【００４１】
ここでこのディジタルテレビジョン装置１は、裏番組画像をＣＰＵ１０によるソフトウェアデコードで生成するようにしたことにより、裏番組用のＭＰＥＧビデオデコーダを設けることなく、簡易な構成で裏番組画像を生成することができる。
【００４２】
以上の構成によれば、各番組の映像データのＩピクチャをＣＰＵ１０でソフトウェアデコードして裏番組画像として番組情報とともに表示するようにしたことにより、簡易な構成で、ユーザに対しより詳細な裏番組の内容を提示することができる。
【００４３】
（４）他の実施の形態
なお上述の実施の形態においては、ＣＰＵ１０が裏番組の映像データの一部を静止画像としてソフトウェアデコードすることにより、別途裏番組用のＭＰＥＧデコーダを設けることなく裏番組の画像を表示するようにしたが、本発明はこれに限らず、表番組用のＭＰＥＧデコーダ１９の余力を利用して、裏番組の映像データの一部をハードウェアデコードするようにしてもよい。
【００４４】
一般にＭＰＥＧデコーダは、表番組のデコード中においてもその処理能力を最大限まで利用しているわけではなく、常にある程度の余力を有するように設計される。この余力は裏番組の映像データ全体を動画像としてデコードできるほどではないが、映像データの一部を静止画としてデコードするには十分である。
【００４５】
したがって、ＣＰＵ１０が裏番組の映像データからＩピクチャを分離し、当該分離したＩピクチャを、映像復号手段及び画像復号手段としてのＭＰＥＧデコーダ１９がその余力を用いてハードウェアデコードするようにすれば、別途裏番組用のＭＰＥＧデコーダを設けることなく裏番組画像を生成して表示することができる。
【００４６】
また上述の実施の形態においては、本発明をディジタルテレビジョン放送を受信して表示するディジタルテレビ装置に適用した場合について述べたが、本発明はこれに限らず、ディジタルテレビジョン放送の受信機能を具えた携帯電話機やパーソナルコンピュータ、さらには、ディジタルテレビジョン放送を受信して外部のモニタ等に表示させるディジタルテレビチューナやテレビジョン放送を受信して記録する各種ビデオテープレコーダ等、種々のテレビジョン受信機に本発明を適用することができる。
【産業上の利用可能性】
【００４７】
本発明は、種々のテレビジョン受信機に本適用できる。
【図面の簡単な説明】
【００４８】
【図１】ディジタルテレビジョン装置の全体構成を示すブロック図である。
【図２】裏番組画像取得処理手順のフローチャートである。
【図３】メモリマッピングを表す略線図である。
【図４】ＥＰＧ画面の略線図である。
【図５】情報表示領域の説明に供する略線図である。
【符号の説明】
【００４９】
１……ディジタルテレビジョン装置、１０……ＣＰＵ、１１……メインチューナ、１２Ａ、１２Ｂ……サブチューナ、１３……メインデマルチプレクサ、１４Ａ、１４Ｂ……サブマルチプレクサ、１５……切換スイッチ、１６……ＩＥＥＥ１３９４ポート、１７……ＨＤＤストリームバッファ、１８……ハードディスクドライブ、１９……ＭＰＥＧビデオデコーダ、２０……映像表示部。
【図１】
2005347871.tif 000003
【図２】
2005347871.tif 000004
【図３】
2005347871.tif 000005
【図４】
2005347871.tif 000006
【図５】
2005347871.tif 000007